(57)【要約】【課題】便座殺菌装置を提供することである。【解決手段】本発明の便座殺菌装置は、一対の殺菌ランプは、互いに間隔を隔てられ、便座蓋の便座閉じ位置において、便座便座の鉛直方向上方で、互いに横方向に並列され、一対の殺菌ランプを便座蓋に取り付けるための取付手段を有し、該取付手段が、一対の殺菌ランプ間に配置される第１ホルダと、該第１ホルダから延び、便座蓋に取り付けられるようになった第２ホルダとを備え、第１ホルダが、各殺菌ランプの外面の一部に当接する一対の円弧形支持面と、これらの円弧形支持面間に延びる連結部とを有し、円弧形支持面間の距離は、円弧形支持面が各殺菌ランプの外面に当接するように第１ホルダを一対の殺菌ランプ間に配置したときに、第１ホルダが一対の殺菌ランプ７によってこれらの間に挟持されるように、寸法決めされている、ことを特徴とする。【選択図】図３
2008035871.tif 000002
【特許請求の範囲】
【請求項１】
便器本体と、該便器本体に取り付けられた便座と、該便座を上から覆うことができるように前記便器本体に回動自在に取り付けられた便座蓋と、前記便座を殺菌するための便座殺菌装置とを有する洋式便器であって、
前記便座殺菌装置が、
前記便座蓋が前記便座を覆う便座閉じ位置まで前記便座蓋を回動させたときに、前記便座の鉛直方向上方に位置しないように前記便座蓋に取り付けられた電気コネクターと、
該電気コネクターに接続され、前記便座の形状に沿って延びる、前記便座蓋の前記便座閉じ位置において前記便座を殺菌するための一対の円形断面殺菌ランプとを有し、該一対の殺菌ランプは、互いに間隔を隔てられ、前記便座蓋の前記便座閉じ位置において、便座前記便座の鉛直方向上方で、互いに横方向に並列され、
前記一対の殺菌ランプを前記便座蓋に取り付けるための取付手段を有し、該取付手段が、
前記一対の殺菌ランプ間に配置される第１ホルダと、
該第１ホルダから延び、前記便座蓋に取り付けられるようになった第２ホルダとを備え、
前記第１ホルダが、前記各殺菌ランプの外面の一部に当接する一対の円弧形支持面と、これらの円弧形支持面間に延びる連結部とを有し、前記円弧形支持面間の距離は、前記円弧形支持面が前記各殺菌ランプの外面に当接するように前記第１ホルダを前記一対の殺菌ランプ間に配置したときに、前記第１ホルダが前記一対の殺菌ランプ７によってこれらの間に挟持されるように、寸法決めされている、
洋式便器。
【請求項２】
前記便座蓋の下面に取り付けられた、前記便座蓋の前記便座閉じ位置において前記殺菌ランプからの殺菌光を前記便座に向けて反射させる反射板を有する、請求項１記載の便座殺菌装置。
【請求項３】
前記便座蓋の下面に取り付けられた、前記殺菌ランプを覆う殺菌ランプカバーを有する、請求項１又は請求項２記載の便座殺菌装置。
【請求項４】
前記殺菌ランプは、前記便座蓋が前記便座閉じ位置に移動されたときに殺菌光を放出し、殺菌光放出後１０秒乃至１３秒経過後に殺菌光の放出を停止するようになった、請求項１乃至請求項３のいずれか一項に記載の便座殺菌装置。
【請求項５】
前記殺菌ランプの作動状態を示す表示ランプを便座蓋に設けた、請求項１乃至請求項４のいずれか一項に記載の便座殺菌装置。
【発明の詳細な説明】
【技術分野】
【０００１】
本発明は、便座殺菌装置に関する。
【背景技術】
【０００２】
洋式トイレは不特定多数の者が利用するものであり、その便座には利用者の肌が直接触れるので、便座は、雑菌に犯されやすく、不衛生になり易い。
汚れた便座は消毒用ナプキンで清浄すれば良いが、使用のたび毎に清浄作業を行わなければならないのは煩である。
【０００３】
このような清浄作業における負担をなくすため、紫外線を用いて便座を殺菌する便器が、例えば特許文献１に、開示されている。
【０００４】
特許文献１開示の便器では、便座上に位置される上蓋の底面に凹部が設けられ、この凹部内に紫外線ランプが設けられている。凹部には鏡面加工が施され、紫外線ランプを保護するための被覆材が凹部に取り付けられている。
【０００５】
【特許文献１】実開昭６３―１３８２００号公報
【発明の開示】
【発明が解決しようとする課題】
【０００６】
しかし、特許文献１開示の便器においては、紫外線ランプは上蓋のほぼ中央に設けられているため、便座に直接紫外線を照射することができない。
【０００７】
また、かりにではあるが、紫外線ランプを、便座を覆うように上蓋を閉じたときに便座上に位置するように、上蓋に設けたとしても、紫外線ランプの両端に位置するベース、すなわち、口金の電気接触ピンと、この電気接触ピンと接続されるソケットの接触子とが便座上に位置するときには、当該口金及びソケットと対向する便座の領域は殺菌されないことになる。
【０００８】
また、紫外線ランプを便座に沿って延びるように上蓋に設置するときには、紫外線ランプを数箇所で支持する必要があるけれども、在来の家庭用蛍光灯におけるのと同様に、ランプを下方から支持する可撓性金属クリップを用いたのでは、当該クリップと対向する便座の領域は殺菌されないことになる。
【０００９】
従って、本発明は、上述した問題を解決するために発明されたものであって、殺菌されない便座の領域を少なくする便座殺菌装置を提供することを目的とする。
【課題を解決するための手段】
【００１０】
上記目的を達成するため、本発明による便座殺菌装置は、便器本体と、該便器本体に取り付けられた便座と、該便座を上から覆うことができるように前記便器本体に回動自在に取り付けられた便座蓋と、前記便座を殺菌するための便座殺菌装置とを有する洋式便器であって、前記便座殺菌装置が、前記便座蓋が前記便座を覆う便座閉じ位置まで前記便座蓋を回動させたときに、前記便座の鉛直方向上方に位置しないように前記便座蓋に取り付けられた電気コネクターと、該電気コネクターに接続され、前記便座の形状に沿って延びる、前記便座蓋の前記便座閉じ位置において前記便座を殺菌するための一対の円形断面殺菌ランプとを有し、該一対の殺菌ランプは、互いに間隔を隔てられ、前記便座蓋の前記便座閉じ位置において、便座前記便座の鉛直方向上方で、互いに横方向に並列され、前記一対の殺菌ランプを前記便座蓋に取り付けるための取付手段を有し、該取付手段が、前記一対の殺菌ランプ間に配置される第１ホルダと、該第１ホルダから延び、前記便座蓋に取り付けられるようになった第２ホルダとを備え、前記第１ホルダが、前記各殺菌ランプの外面の一部に当接する一対の円弧形支持面と、これらの円弧形支持面間に延びる連結部とを有し、前記円弧形支持面間の距離は、前記円弧形支持面が前記各殺菌ランプの外面に当接するように前記第１ホルダを前記一対の殺菌ランプ間に配置したときに、前記第１ホルダが前記一対の殺菌ランプ７によってこれらの間に挟持されるように、寸法決めされている、ことを特徴とする。
【００１１】
この構成では、便座蓋が便座閉じ位置まで回動されると、便座蓋の下面の殺菌ランプが便座に全体に亘って対向するので、殺菌ランプからの殺菌光によって便座を殺菌することができる。
【００１２】
特に、便座蓋が便座閉じ位置にあるとき、電気コネクターは便座の鉛直方向上方に位置しないので、電気コネクターが殺菌ランプを便座の全周に亘って配置するのを妨げず、便座を全体に亘って殺菌することができる。
【００１３】
また、一対の殺菌ランプそれ自体によって第１ホルダを挟持し、この第１ホルダを第２ホルダを介して便座蓋に取り付けるので、殺菌ランプから便座に向けて放出される殺菌光を第１ホルダが遮る量を少なくすることができる。
【００１４】
本発明では、前記便座蓋の下面に取り付けられた、前記便座蓋の前記便座閉じ位置において前記殺菌ランプからの殺菌光を前記便座に向けて反射させる反射板を有するのが好ましい。この構成では、殺菌ランプからの殺菌光を効率的に便座に照射することができる。
【００１５】
また、前記便座蓋の下面に取り付けられた、前記殺菌ランプを覆う殺菌ランプカバーを有するのが好ましい。この構成では、殺菌ランプを殺菌ランプカバーによって保護することができる。
【００１６】
更に、前記殺菌ランプは、前記便座蓋が前記便座閉じ位置に移動されたときに殺菌光を放出し、殺菌光放出後１０秒乃至１３秒経過後に殺菌光の放出を停止するようになっているのが好ましい。この構成では、殺菌光が常時放出される無駄を省くことができる。
更にまた、前記殺菌ランプの作動状態を示す表示ランプを便座蓋に設けるのが好ましい。
【発明の効果】
【００１７】
本発明によれば、誰も手を加えず便座を殺菌することができる便座殺菌装置を提供することができる。
【発明を実施するための最良の形態】
【００１８】
以下、添付図面を参照して、本発明の実施形態について説明する。
図１は、本発明による便座殺菌装置を備える洋式便器３０を概略的に示す。
【００１９】
洋式便器３０は、便器本体Ｂと、便器本体Ｂに取り付けられた便座２と、この便座２を上から覆うことができるように、便器本体Ｂに回動軸線Ｐを中心に回動自在に取り付けられた便座蓋１とを有する。便座２は全体的に円環状である臀部支持面２Ａを備え、臀部支持面２Ａの内方には中央開口部２Ｂが形成されている。
【００２０】
便座殺菌装置は、便座蓋１の下面１Ａに設けられた一対の殺菌ランプ７を有する。一対の殺菌ランプ７は、図２に示すように便座蓋１が便座２を覆う「便座閉じ位置」まで便座蓋１を回動させたときに、便座２の臀部支持面２Ａの鉛直方向上方に位置されるように便座蓋１の下面１Ａに取り付けられる。
【００２１】
一対の殺菌ランプ７は、内側殺菌ランプ７Ａと、この内側殺菌ランプ７Ａの外方に配置される外側殺菌ランプ７Ｂとを有し、各殺菌ランプ７Ａ、７Ｂは、円形断面の棒状ランプによって構成されている。
【００２２】
各殺菌ランプ７Ａ、７Ｂの両端部は雄コネクター１４Ａに電気的に接続され、この雄コネクター１４Ａは便座蓋１に取り付けられた雌コネクター１４Ｂに電気的に接続されるようになっており、これらの雄コネクター１４Ａ、雌コネクター１４Ｂによって電気コネクター１４が構成される。雌コネクター１４Ｂからは電気コード１４Ｃが延び、この電気コード１４Ｃを介して外部電源(図示せず)から殺菌ランプ７Ａ、７Ｂに給電されるようになっている。
【００２３】
電気コネクター１４は、便座蓋１が「便座閉じ位置」にあるときに便座２の臀部支持面２Ａの鉛直方向上方に位置しないように、便座蓋１の回動軸線Ｐに隣接して位置決めされている。この配置構造により、電気コネクター１４が便座２の臀部支持面２Ａへの殺菌ランプ７の紫外線の照射を妨げるのを回避することができる。
電気コネクター１４は、下方からコネクターカバー１４Ｄによってカバーされる。
【００２４】
図３Ｃ及び図６から良くわかるように、内側殺菌ランプ７Ａと外側殺菌ランプ７Ｂは、全長に亘って互いに対して一定距離間隔が隔てられ、便座蓋１が「便座閉じ位置」にあるときに、便座２の臀部支持面２Ａの上方で横方向に並列される。
【００２５】
各ランプ７Ａ、７Ｂの両端部は、雄コネクター１４Ａから直線的に延び、延長端部分ＥＳ１、ＥＳ２を構成し、これらの延長端部分ＥＳ１、ＥＳ２間に延びる各ランプ７Ａ、７Ｂの中央部分は、便座２の臀部支持面２Ａに沿って延び、環状部ＡＳを構成する。
【００２６】
便座殺菌装置はまた、ランプ７Ａ、７Ｂ、特にその環状部ＡＳを便座蓋１に取り付けるための取付手段を有する。
【００２７】
この取付手段は、図４、図７及び図８に示されるように、ランプ７Ａの環状部ＡＳとランプ７Ｂの環状部ＡＳとの間に配置され、これらの環状部ＡＳによって挟持される、全体的にＨ形の第１ホルダ１５と、この第１ホルダ１５に取り付けられる第２ホルダ１６とを有する。この実施形態では、３対の第１ホルダ１５、第２ホルダ１６が使用され、これら３対の第１ホルダ１５、第２ホルダ１６は、ランプ７の環状部ＡＳに等間隔に配置されている。
【００２８】
各第１ホルダ１５は、隣接する殺菌ランプ７Ａ、７Ｂの外面の一部に当接する一対の円弧形支持面１５Ａと、これらの円弧形支持面１５Ａ間に延びる連結部１５Ｂとを有する。各第１ホルダ１５の一対の円弧形支持面１５Ａ間の距離１５Ｄは、一対の円弧形支持面１５Ａが、夫々、隣接する殺菌ランプの外面に当接するように、第１ホルダ１５を隣接する殺菌ランプ７Ａ、７Ｂ間に配置したときに、第１ホルダ１５が隣接する殺菌ランプ７Ａ、７Ｂによって保持される、すなわち、挟持されるように、決定されている。従って、第１ホルダ１５の円弧形支持面１５Ａ間の距離１５Ｄは殺菌ランプ７間の間隔よりも僅かに大きい。
【００２９】
第１ホルダ１５の各円弧形支持面１５Ａの円弧の長さは、各殺菌ランプ７Ａ、７Ｂの円周の(内側)半分のおよそ１／３に寸法決めされている。各円弧形支持面１５Ａの円弧長がこのように短くても、第１ホルダ１５が殺菌ランプ７Ａ、７Ｂ自体によって挟持されているので、第１ホルダ１５が殺菌ランプ７Ａ、７Ｂから脱落しない。他方、これらの円弧形支持面１５Ａは、図７から良くわかるように、殺菌ランプ７Ａ、７Ｂに側方から当接し、しかも当接する領域も少ないので、殺菌ランプ７Ａ、７Ｂから照射され、便座２の臀部支持面２Ａに向う紫外線を遮る量を、在来の家庭用蛍光灯における可撓性金属クリップを用いた場合に比較して、軽減することができる。
【００３０】
尚、第１ホルダ１５の円弧形支持面１５Ａと殺菌ランプ７とを接着剤で固定しても良い。この場合には、便座蓋１の開閉により第１ホルダ１５が殺菌ランプ７間を移動してしまうのを防止することができる。或いはまた、接着剤に代えて、摩擦係数の高い素材、例えば、ゴムのシートを第１ホルダ１５の円弧形支持面１５Ａに設けることによって第１ホルダ１５の移動を妨げても良い。
【００３１】
第２ホルダ１６は１枚の金属板からなり、第２ホルダ１６の上部が便座蓋取付部１６Ａを構成し、下部が第１ホルダ収容部１６Ｂを構成する。便座蓋取付部１６Ａは、金属板の一方端部によって構成された水平取付部１６aを備え、この水平取付部１６aは、例えば接着剤を用いて、後述する反射板１３に取り付けられる(図４)。接着剤に代えて、水平取付部１６a及び反射板１３を貫通して便座蓋１に係合するビスを用いても良い。
【００３２】
第１ホルダ収容部１６Ｂは、第１ホルダ１５の連結部１５Ｂを下方から支持するように形作られ、金属板の他方端部１６bを水平取付部１６aから遠ざけるように弾性変形させることによって第１ホルダ１５の連結部１５Ｂを受け入れることができるように形作られている。
【００３３】
第２ホルダ１６は全体に亘って幅Ｗが連結部１５Ｂの幅と実質的に等しい。従って、第２ホルダ１６は、殺菌ランプ７Ａ、７Ｂから照射され、便座２の臀部支持面２Ａに向う紫外線を遮らずに第１ホルダ１５、ひいては、第１ホルダ１５を挟持する殺菌ランプ７Ａ、７Ｂを便座蓋１の下面１Ａに固定することができる。
【００３４】
便座蓋１の下面にはまた、便座蓋１が「便座閉じ位置」に回動されたときに殺菌ランプ７からの殺菌光を便座２に向けて反射させるための反射板１３が設けられる。反射板１３は、図３bで良くわかるように、殺菌ランプ７Ａ、７Ｂ全体をカバーするように、全体的に楕円環状形であり、図４から良くわかるように、下方に開口する半円弧形断面を有する。
【００３５】
この実施形態では、反射板１３の内方下端部、外方下端部からは、夫々、取付フランジ１３Ａ、１３Ｂが内方、外方に突出し、反射板１３は、これらの取付フランジ１３Ａ、１３Ｂを介して、後述する仕方で、便座蓋１の下面に取り付けられる。
【００３６】
反射板１３及び殺菌ランプ７を下から覆う殺菌ランプカバー８がまた、便座蓋１の下面に取り付けられる。殺菌ランプカバー８は、殺菌ランプ７からの殺菌光の透過率、耐水性、耐酸性、耐衝撃性、柔軟性の観点から、高分子化合物ポリカーボネートで作られている。殺菌ランプカバー８は、全体的に反射板１３と対称形状であり、取付フランジ８Ａ、８Ｂを介して、後述する仕方で、便座蓋１の下面に取り付けられる。
【００３７】
図３aに示されるように、便座蓋１の下面には、反射板１３の半円弧形状と相補形状の反射板収納部３が形成され、反射板収納部３の内方、外方には、反射板１３の取付フランジ１３Ａ、１３Ｂと当接する平坦支持部３Ａ、３Ｂが夫々形成されている。便座蓋１の下面にはまた、平坦支持部３Ａ、３Ｂの内方、外方に、平坦支持部３Ａ、３Ｂに対しておおよそ垂直に上方に延びる保持プレート取付面３a、３bが形成されている。
【００３８】
反射板１３、殺菌ランプカバー８を便座蓋１の下面に取り付けるための保持プレート９、１０が便座蓋１の下面に取り付けられる。各保持プレート９、１０は、図１からわかるように全体的に環状であり、図４に示されるように、取付部分９Ａ、１０Ａと、保持部分９Ｂ、１０Ｂとによって構成されるＬ字形断面を有する。
【００３９】
第１ホルダ１５及び第２ホルダを介して殺菌ランプ７が取り付けられた反射板１３、及び、殺菌ランプカバー８を便座蓋１に取り付けるには、先ず、図４に示されるように、反射板１３を便座蓋１の反射板収納部３に配置し、次いで、殺菌ランプカバー８を、その取付フランジ８Ａ、８Ｂが反射板１３の取付フランジ１３Ａ、１３Ｂ上に位置するように、配置し、そして、各保持プレート９、１０の取付部分９Ａ、１０Ａを保持プレート取付面３a、３bに接着剤で取り付け、保持部分９Ｂ、１０Ｂによって殺菌ランプカバー８の取付フランジ８Ａ、８Ｂを下方から支持する。
【００４０】
上記構成の便座殺菌装置では、便座蓋１が閉じ位置まで回動されたときに、便座２は、これと対向する殺菌ランプ７からの直接光、及び、反射板１３によって反射された反射光によって、殺菌される。
【００４１】
便座蓋１の閉じ位置において、電気コネクター１４は、便座２の鉛直方向上方に位置せず、殺菌ランプ７が便座２の臀部支持面２Ａの全周に亘って配置されるので、臀部支持面２Ａ全体を殺菌することができる。
【００４２】
便座２の臀部支持面２Ａ中で最も雑菌の付きやすい便座２の後方部分には、便座蓋１が閉じ位置にあるとき、電気コネクター１４から延びる４本の殺菌ランプ７が対向し、殺菌光を照射するので、便座２の後方部分の殺菌効率を強化することができる。
【００４３】
また、殺菌ランプ７は殺菌ランプカバー８によって覆われているので、殺菌ランプ７の破損を回避することができる。
【００４４】
便座殺菌装置はまた、便座２に対する便座蓋１の開閉を検出するための、既知の構成のセンサ(図示せず)と、このセンサ(図示せず)と接続された制御装置(図示せず)とを有する。この制御装置は、殺菌ランプ７と接続され、上記センサ(図示せず)からの情報に基づいて、便座蓋１が「閉じ位置」にあるときにのみ殺菌ランプ７を作動させるようになっている。
【００４５】
変形実施形態として、上記制御装置(図示せず)は、便座蓋１が「閉じ位置」に回動されてから１０秒経過した後に殺菌光の放出を停止するように殺菌ランプ７を作動させても良い。このように構成すると、殺菌ランプ７から殺菌光を常時放出する無駄を省くことができる。このような短時間での殺菌を可能にする殺菌ランプとしては、３８０〜１０ｎｍ紫外線領域の内から、極めて強い殺菌力を示す２５３．７ｎｍの波長を放つ、日本フィリップス株式会社製の遠紫外線殺菌ランプが好ましい。例えば、便座２の臀部支持面２Ａの全長がおおよそ１．１m乃至１．４mであるとき、４０ワットの前記遠紫外線殺菌ランプによれば、殺菌ランプから１０cm以内の至近距離からの直射光により１０秒間で便座２の臀部支持面２Ａの大腸菌（０１５７：Ｈ７）、黄色ブドウ球菌、サルモネラ菌等の雑菌を完全殺菌できる。もっとも、便座殺菌装置の長期の使用により、殺菌効力が少しずつ低下することが考えられるので、殺菌ランプ７の殺菌光放出後、１０秒、プラス、数秒、例えば３秒の合計１３秒経過後に、殺菌光の放出を停止するように構成するのが好ましい。
【００４６】
図４に参照番号１７Ａで示されるのは、便座蓋１を閉じた際に便座２との間に生ずる衝撃を吸収するための衝撃吸収パッドであり、この衝撃吸収パッド１７Ａは、便座蓋１に形成された取付台１７に取り付けられている。
【００４７】
本発明は、上述した実施形態に限定されることなく以下のような種々の変更が可能である。
【００４８】
例えば、反射板１３に取付フランジ１３Ａ、１３Ｂを形成することなく、反射板１３を接着剤で便座蓋１の下面に取り付けても良い。
同様に、殺菌ランプカバー８に取付フランジ８Ａ、８Ｂを形成することなく、殺菌ランプカバー８を接着剤で反射板１３に接着しても良い。
【００４９】
また、各保持プレート９、１０の取付部分９Ａ、１０Ａは、接着剤に代えてビスによって、保持プレート取付面３a、３bに取り付けても良い。
【００５０】
更に、便器３０に、便器利用者を検知するための人センサー１１と、便座蓋１を開閉駆動させるための駆動装置(図示せず)とを設け、前述した制御装置(図示せず)によって、人センサー１１により便器３０への便器利用者の接近が確認されたときに駆動装置(図示せず)を介して便座蓋１を開け、便器利用者が便器３０から離れたときに駆動装置(図示せず)を介して便座蓋１を閉じるようにしても良い。
【００５１】
更にまた、殺菌ランプ７の作動を知らせる表示ランプ１２を、例えば、便座蓋１に設けても良い。
【００５２】
また、前述した制御装置(図示せず)は、殺菌ランプ７の作動中であっても、便座蓋１が開けられたことを、便座蓋１の開閉を検出するためのセンサ(図示せず)が検出したときには、殺菌ランプ７の作動を中止するようになっていても良い。
【００５３】
更に、便器コントロール部５に、便座２の殺菌が済むと便器コントロール部５から突出する飛び出しボタン５Ａを設けても良い。飛び出しボタン５により、視覚のみならず、触覚によっても便座２の殺菌の有無を確認することができる。
【産業上の利用可能性】
【００５４】
上述した実施形態では、本発明による便座殺菌装置を予め組み込んだ洋式便器として説明したけれども、既存の洋式便器に本発明の便座殺菌装置を取り付けることができる。
【図面の簡単な説明】
【００５５】
【図１】本発明の実施形態による洋式便器を示す概略斜視図である。
【図２】便座蓋を閉じた状態で示す、図１の洋式便器の概略斜視図である。
【図３】図１の洋式便器の便座蓋の分解斜視図である。
【図４】図１の洋式便器の部分断面拡大図である。
【図５】図１の洋式便器の便座蓋の底面を示す概略図である。
【図６】図１の洋式便器の殺菌ランプの雄コネクターと便座蓋の雌コネクターとを示す部分拡大斜視図である。
【図７】図１の洋式便器の殺菌ランプと第１ホルダとの係合を示す概略断面図である。
【図８】図１の洋式便器の第１ホルダと第２ホルダとの接合関係を示す概略断面図である。
【符号の説明】
【００５６】
１  便座蓋
２  便座
７  殺菌ランプ
８  殺菌ランプカバー
１３  反射板
１４  電気コネクター
１５  第１ホルダ
１６  第２ホルダ
【図１】
2008035871.tif 000003
【図２】
2008035871.tif 000004
【図３】
2008035871.tif 000005
【図４】
2008035871.tif 000006
【図５】
2008035871.tif 000007
【図６】
2008035871.tif 000008
【図７】
2008035871.tif 000009
【図８】
2008035871.tif 000010